(57)【特許請求の範囲】
【請求項１】
建築構成部材の空間部内に吹き込み材料を吹き込み充填する湿式吹き込み施工方法において、
上記吹き込み材料が、セルローズファイバ、天然接着剤、及び貝殻カルシウムからなり、上記建築構成部材の空間部内に水を噴霧しつつ上記吹き込み材料を吹き込み充填することを特徴とする有機繊維系断熱材の湿式吹き込み施工方法。
【請求項２】
上記セルローズファイバは、古紙を解織して得られる天然木質繊維であることを特徴とする請求項１に記載の有機繊維系断熱材の湿式吹き込み施工方法。
【請求項３】
上記天然接着剤は、デンプン系増粘剤であることを特徴とする請求項１または２に記載の有機繊維系断熱材の湿式吹き込み施工方法。
【請求項４】
上記天然接着剤は、セルローズ系高分子増粘剤であることを特徴とする請求項１または２に記載の有機繊維系断熱材の湿式吹き込み施工方法。
【請求項５】
上記請求項１〜４の何れか１項に記載の湿式吹き込み施工方法で施工されたことを特徴とする建築構成部材。
【請求項６】
建築構成部材の空間部内に吹き込み材料を吹き込み充填して有機繊維系断熱材を製造する製造方法において、
上記吹き込み材料が、セルローズファイバ、天然接着剤、及び貝殻カルシウムからなり、上記建築構成部材の空間部内に水を噴霧しつつ上記吹き込み材料を吹き込み充填して有機繊維系断熱材を製造することを特徴とする有機繊維系断熱材の製造方法。
【発明の詳細な説明】
【技術分野】
【０００１】
本発明は、住宅等の建物の壁、天井、床等の建築構成部材の空間部内に吹き込材料を吹き込み充填する有機繊維系断熱材の湿式吹き込み施工方法、該施工方法で施工された建築構成部材及び有機繊維系断熱材の製造方法に関する。
【背景技術】
【０００２】
近年、住宅等の建物の壁、天井、床等の建築構成部材の内部に配置されるガラス繊維やウレタンフォーム等の断熱材に含まれる有害物質、例えばホルムアルデヒド等が引き起こす室内汚染、いわゆる「シックハウス症候群」が問題となっており、その対策の一つとして有機繊維であるセルローズファイバが代替されるものがある。セルローズファイバは、主に新聞紙や段ボール等の古紙を粗砕機や精砕機により綿状に解織し、ホウ素系防燃剤（ホウ酸、ホウ砂）等の付加により防燃処理及び撥水処理したものであり、森林保護等自然環境への負担が少ないことから断熱材として急激に普及しつつある。
【０００３】
セルローズファイバを住宅の壁、天井、床等の建築構成部材の断熱材として施工する主な方法としては、乾式吹き込み施工方法や湿式吹き込み施工方法が一般的である。
【０００４】
乾式吹き込み施工方法は、壁、天井、床等の建築構成部材に形成された空間部内にブローイング装置等により吹き込み材料としてのセルローズファイバを吹き込み充填させて断熱層を形成するものであり、空間部内に充填されたセルローズファイバ自体に無数の気泡を有すると共に絡み合ったセルローズファイバ間に空気を抱えることから優れた断熱及び防音性能が得られる。しかし、例えばセルローズファイバを充填して断熱層を形成した壁は、経時的に作用する振動によって充填したセルローズファイバが沈み込む経時的沈下現象が発生することがある。特にセルローズファイバが垂直な壁内に吹き込みされた場合にはその沈下が顕著で空間部内の上部に沈み込みによる隙間が生じて所期の断熱、防音、結露防止等の機能が達成できないおそれがある。
【０００５】
このセルローズファイバの沈み込みを抑えるには、例えば特許文献１に開示されるように空間部内にセルローズファイバを６０ｋｇ／ｍ3程度の吹き込み密度で吹き込む必要があり、セルローズファイバの使用量が増大すると共に、多くのセルローズファイバが吹き込まれた壁の壁面に石膏ボード等の内装材等を張設する際に、非常に多くの手間を要する。また、壁の空間部内でセルローズファイバと空気とが混在した状態で断熱層が形成されるため、セルローズファイバの吹き込み密度を６０ｋｇ／ｍ3程度以上で施工した場合でも経年によりセルローズファイバ自体の自重により圧縮された空気が離脱して経時的沈下現象が起きるおそれがある。
【０００６】
一方、湿式吹き込み施工方法は、壁、天井、床等の建築構成部材内の空間部内にブローイング装置等によって供給されセルローズファイバと接着剤を同時に吹き込み充填させることから、充填されたセルローズファイバ同士が接着剤で結合され、かつセルローズファイバが空間部の内面に接着剤にて結合するのでセルローズファイバの沈み込みがなく、空間部内に隙間のない連続的な断熱層が形成される。また、例えばセルローズファイバの吹き込み密度を５０ｋｇ／ｍ3程度で吹き込むことで経時的沈下が防止できることが確認されており、セルローズファイバ等の吹き込み材料の使用量が乾式吹き込み施工方法に比べ２０％程度以上も少なく、セルローズファイバ等の資源の有効活用に大きく貢献できる。
【０００７】
【特許文献１】特開２０００−２１３０８０号公報
【発明の開示】
【発明が解決しようとする課題】
【０００８】
上記湿式吹き込み施工方法においては、接着剤とセルローズファイバ等の吹き込み材料を壁等の空間部内に吹き込み充填させることから、充填されたセルローズファイバ同士が接着剤により結合すると共にセルローズファイバが空間部の内面に結合してセルローズファイバの沈み込みがなくなり、空間部内に隙間のない断熱及び防音層が形成できる。
【０００９】
しかし、この湿式吹き込み施工方法は、接着剤とセルローズファイバからなる吹き込み材料を同時に空間部内に吹き込み充填させることから、その接着剤から発生する揮発性化学物質等が作業環境に影響を与えると共に、施工後においても接着剤から発生する化学物質等が室内汚染を引き起こし、居住者の健康に悪影響を与える可能性がある。
【００１０】
更に、セルローズファイバに接着剤が付着して固形化されることから、そのセルローズファイバと接着剤の分離が困難でありセルローズファイバの再利用、即ちリサイクルを困難にしている。また、火災時や焼却処分時に接着剤が有害物質を発生する要因となることが懸念される。
【００１１】
一方、施工に使用したブローイング装置に接続された接着剤の噴霧器等を洗浄した洗浄水等の排水には接着剤に含まれた化学物質が混入するおそれがあり、これらの液から化学物質を除去するための廃水処理が要求される。また、施工に際して残存した余剰の接着剤の残渣処理が要求される。
【００１２】
従って、かかる点に鑑みなされた本発明の目的は、経時的沈下等がなく安定した断熱、防音機能が得られ、人体への安全性が高く環境負担が軽減できる有機繊維系断熱材の湿式吹き込み施工方法、該施工方法で施工された建築構成部材及び有機繊維系断熱材の製造方法を提供することにある。
【課題を解決するための手段】
【００１３】
上記目的を達成する請求項１に記載の有機繊維系断熱材の湿式吹き込み施工方法の発明は、建築構成部材の空間部内に吹き込み材料を吹き込み充填する湿式吹き込み施工方法において、上記吹き込み材料が、セルローズファイバ、天然接着剤、及び貝殻カルシウムからなり、上記建築構成部材の空間部内に水を噴霧しつつ上記吹き込み材料を吹き込み充填することを特徴とする。
【００１４】
この発明によると、建築構成部材の空間部内に吹き込み充填される吹き込み材料が、水の浸透性に優れるセルローズファイバと、水溶性の天然接着剤と、貝殻カルシウムからなり、噴霧した水が迅速かつ均一にセルローズファイバに浸透して貝殻カルシウムを含むセルローズファイバ同士及びセルローズファイバと空間部の内面が水溶性の天然接着剤によって均一に結合され、かつ乾燥固化して有機繊維系断熱材となる。
【００１５】
このとき噴霧した水がセルローズファイバに浸透し、かつ水溶性の天然接着剤が容易に水に溶解することから、比較的少ない水で均一に接着結合できる。この際、吹き込み材料に含まれる水分が比較的少なく従来の湿式吹き込み施工方法に比べ短時間で乾燥固化して有機繊維系断熱材が形成できる。また、水の噴霧が少量であることから吹き込まれた吹き込み材料の自重による沈下が抑制されて均一な吹き込み密度で充填できる。
【００１６】
また、有機繊維系断熱材はセルローズファイバ自体に無数の気泡を有すると共に絡み合ったセルローズファイバ間に空気を抱えることから優れた断熱、防音及び結露防止機能が得られると共に、経時的沈下現象の発生が有効的に防止できて吹き込み材料の吹き込み密度の低減が可能になり吹き込み材料の使用量、即ち原材料の使用量の軽減が得られる。
【００１７】
更に、有機繊維系断熱材に混在する貝殻カルシウムは、空気中の有害物質及び汚染物質を吸着分解する機能、消臭機能を有し、居住者の健康に悪影響を与えるシックハウス症候群の発生が抑制できる。なお、貝殻カルシウムは例えばホタテ貝等の貝殻を焼成することにより容易に得られ、水揚げされて食用に供されたホタテ貝等の残滓として発生する貝殻を再利用することで環境保全に貢献できる。
【００１８】
更に、有機繊維系断熱材がセルローズファイバ及び貝殻カルシウムを水溶性の天然接着剤によって結合して形成されることから、少量の接着剤が満遍なくセルローズファイバに接合されており、セルローズファイバ同士が個々の部分での接着強度は弱く安易に解織可能であり、リサイクルが容易になる。また、加水により有機繊維系断熱材のセルローズファイバが容易に水解できてリサイクルが容易になり、原材料の使用量の低減と相俟って森林保護等自然環境への負担が軽減できる。
【００１９】
請求項２に記載の発明は、請求項１の湿式吹き込み施工方法において、上記セルローズファイバは、古紙を解織して得られる天然木質繊維であることを特徴とする。
【００２０】
この発明によると、セルローズファイバが、古紙を解織して得られた天然木質繊維であり、古紙を再利用することから、森林保護等自然環境への負担が軽減できる。
【００２１】
請求項３に記載の発明は、請求項１または２の湿式吹き込み施工方法において、上記天然接着剤は、デンプン系増粘材であることを特徴とする。
【００２２】
請求項４に記載の発明は、請求項１または２の湿式吹き込み施工方法において、上記天然接着剤は、セルローズ系高分子増粘材であることを特徴とする。
【００２３】
これら請求項３及び請求項４は天然接着剤の具体的例を示すものであって、デンプン系増粘材は例えば米、小麦、芋類等の穀物を原料とし、またセルローズ系高分子増粘材は木材等を原料とし得られ、化学物質や有害物質が混在することなく自然環境への負担が有効的に軽減できる。
【００２４】
請求項５に記載の建築構成部材の発明は、請求項１〜４の何れか１項に記載の湿式吹き込み施工方法で施工されたことを特徴とする。
【００２５】
この発明によると、有機繊維系断熱材はセルローズファイバ自体に無数の気泡を有すると共に絡み合ったセルローズファイバ間に空気を抱えることから優れた断熱、防音及び結露防止機能が得られると共に、有機繊維系断熱材に混在する貝殻カルシウムが、空気中の有害物質及び汚染物質の吸着分解機能、消臭機能を有し、居住者の健康に悪影響を与えるシックハウス症候群の発生が抑制できる。
【００２６】
請求項６に記載の有機繊維系断熱材の製造方法の発明は、建築構成部材の空間部内に吹き込み材料を吹き込み充填して有機繊維系断熱材を製造する製造方法において、上記吹き込み材料が、セルローズファイバ、天然接着剤、及び貝殻カルシウムからなり、上記建築構成部材の空間部内に水を噴霧しつつ上記吹き込み材料を吹き込み充填して有機繊維系断熱材を製造することを特徴とする。
【００２７】
この発明によると、吹き込み材料が、水の浸透性に優れるセルローズファイバと、水溶性の天然接着剤と、貝殻カルシウムからなり、噴霧した水が迅速かつ均一にセルローズファイバに浸透しかつ天然接着剤が溶解して、貝殻カルシウムを含むセルローズファイバ同士及びセルローズファイバと空間部の内面が結合され、かつ乾燥固化して有機繊維系断熱材となる。このとき噴霧する水がセルローズファイバに浸透し、水溶性の天然接着剤が容易に水に溶解することから、比較的少ない水で均一に接着結合でき、吹き込み材料に含まれる水分が比較的少なく短時間で乾燥固化して断熱、防音機能に優れ、人体への安全性が高く環境負担が軽減できる機繊維系断熱材が形成できる。
【発明の効果】
【００２８】
本発明によると、セルローズファイバ、天然接着剤及び貝殻カルシウムを吹き込み材料として水を噴霧することにより、迅速かつ均一にセルローズファイバに浸透しかつ天然接着剤が溶解して、貝殻カルシウムを含むセルローズファイバ同士及びセルローズファイバと空間部の内面が結合されて有機繊維系断熱材となり、断熱、防音及び結露防止機能が得られる。有機繊維系断熱材に混在する貝殻カルシウムは、空気中の有害物質及び汚染物質を吸着分解機能、消臭機能を有し、居住者の健康に悪影響を与えるシックハウス症候群の発生が抑制できる。更に、有機繊維系断熱材が化学物質や有害物質を含まず、木に近い組織を有することからリサイクルが容易であり自然環境への負担が軽減できる。
【発明を実施するための最良の形態】
【００２９】
本発明の有機繊維系断熱材の湿式吹き込み施工方法、該施工方法で施工された建築構成部材及び有機繊維系断熱材の製造方法の一実施の形態を住宅等の壁に断熱施工する場合を例に図１乃至図６を参照して説明する。
【００３０】
図１は本実施の形態により断熱施工された建築構成部材である壁１０の概要を示す要部断面斜視図、図２は図１のＩ−Ｉ線断面図である。
【００３１】
壁１０は土台１１と梁１２との間に上下に延在する柱１３が配設され、柱１３の間に間柱１４が間隔をおいて配置される。土台１１、梁１２、柱１３及び間柱１４の外側に外壁仕上げ材または合板や透湿シートからなる外壁下地材、本実施の形態では外壁仕上げ材１５が張設される。一方、各柱１３、間柱１４等の内側に通気性を有する不織布等の施工用シート２１が張設される。外壁仕上げ材１５と施工用シート２１と各柱１３、間柱１４とで仕切られた各空間部Ａ内にそれぞれセルローズファイバ、天然接着剤、及び貝殻カルシウム等からなる吹き込み材料２３と水が充填されて断熱層となる有機繊維系断熱材２０が形成され、更に内装材１６が張設される。
【００３２】
吹き込み材料２３及び有機繊維系断熱材２０を構成するセルローズファイバは、主に新聞紙や段ボール等の古紙を粗砕機や精砕機により綿状に解織して得られる天然木質繊維であり、ホウ素系防燃剤（ホウ酸、ホウ砂）等の付加により防燃処理されている。天然接着剤は、例えば米、小麦、芋類等の穀物を原料とするデンプン系増粘材或いは、木材等を原料とするセルローズ系高分子増粘材で水溶性を有する。
【００３３】
また、貝殻カルシウムは、有害物質及び汚染物質を吸着分解、消臭機能を有し、例えば、粉砕したホタテ貝の貝殻を焼成することで、貝殻の主成分である炭酸カルシウムが酸化カルシウムに酸化され、或いはこれが水和した水酸化カルシウムによって構成される。ホタテ貝は毎年大量に水揚げされて食用に供され、その残滓として貝殻も大量に発生するものであり、その再利用を図ることは環境保全からも重要な意義を有する。
【００３４】
次に、外壁仕上げ材１５と施工用シート２１と各柱１３、間柱１４とで仕切られた各空間部Ａ内に断熱層となる有機繊維系断熱材２０を形成する湿式吹き込み施工方法を図３に示すフローチャート及び図４乃至図６を参照して説明する。
【００３５】
先ず、予め外壁仕上げ材１５及び各柱１３、柱１３間に配置された間柱１４等によって仕切られた壁１０内に電気配線及び配管等をセットしておく。次に、図４（ａ）に正面図を示し、同図（ｂ）に（ａ）のＩＩ−ＩＩ線断面図を示すように、土台１１、梁１２、柱１３及び間柱１４の内側に施工用シート２１を土台１２、梁１２、柱１３、間柱１４等に打鋲等により張設する。これにより外壁仕上げ材１５と施工用シート２１との間が各柱１３と各間柱１４とによって区画された各空間部Ａが形成される（ステップＳ１）。
【００３６】
次に、図５（ａ）に正面図を示し、同図（ｂ）に（ａ）のＩＩＩ−ＩＩＩ線断面図を示すように、壁仕上げ材１５と施工用シート２１と各柱１３と間柱１４とで仕切られる各空間部Ａにおいて、各空間部Ａを仕切っている施工用シート２１に上下方向に離れて後述するブローイング装置の吹き込みノズル３１を挿入するための複数、本実施の形態では各空間部Ａに対し第１吹き込み穴２２ａ、第２吹き込み穴２２ｂ、第３吹き込み穴２２ｃ、第４吹き込み穴２２ｄの４個の吹き込み穴を切欠形成する（ステップＳ２）。この各吹き込み穴２２ａ〜２２ｄは張設された施工用シート２１にカッタナイフ等によって切れ目を入れることによって容易に形成できる。
【００３７】
そして、図６に示すように、最下方の第１吹き込み穴２２ａにブローイング装置の吹き込みノズル３１を差し込んで、水を噴霧すると共に上記セルローズファイバ、天然系接着剤及び貝殻カルシウム等が混在する吹き込み材料２３を、例えば通常の湿式吹き込み工法と同様に５０ｋｇ／ｍ3程度の吹き込み密度で空間部Ａの容積の約４分の１程度まで吹き込み、空間Ａ内に堆積させる（ステップＳ３）。
【００３８】
ここで、吹き込み材料２３が、毛細管現象による水の浸透性に優れた天然木質繊維のセルローズファイバと、水溶性の天然接着剤と、貝殻カルシウムが混在し、比較的少量の水を噴霧することにより溶ける天然接着剤により効率よく貝殻カルシウムを含むセルローズファイバ同士及びセルローズファイバと柱１３、間柱１４、外壁仕上げ材１５、施工用シート２１等の空間部Ａの内面と結合する。また、水の噴霧量が少量であることから吹き込み材料２３の自重が過剰に増大することなく自重による施工中の沈下が抑制されて均一な吹き込み密度で堆積させることができる。
【００３９】
次に、同様に第１吹き込み穴２２ａの上方に形成された第２吹き込み穴２２ｂにブローイング装置の吹き込みノズル３１を差し込んで、同様に水を噴霧すると共に吹き込み材料２３を第１吹き込み穴２１ａから吹き込まれ堆積した吹き込み材料２３上に吹き込み空間部Ａの容積の約２分の１程度まで吹き込み堆積させる（ステップＳ４）。
【００４０】
更に上方の第３吹き込み穴２２ｃにブローイング装置の吹き込みノズル３１を差し込んで、水を噴霧すると共に吹き込み材料２３を吹き込み空間部Ａの容積の約４分の３程度まで吹き込み堆積させる（ステップＳ５）。更に最上の第４吹き込み穴２２ｄにブローイング装置の吹き込みノズル３１を差し込んで、水を噴霧すると共に吹き込み材料２３を吹き込み、空間部Ａ内全体を吹き込み材料２３で充填させる（ステップＳ６）。
【００４１】
このように吹き込み材料２３の吹き込みを、最下方の第１吹き込み穴２２ａから全体の約４分の１の量を空間部Ａに吹き込みと、第２吹き込み穴２２ｂから全体の約４分の１の量を空間部Ａに吹き込みと、第３吹き込み穴２２ｂから全体の約４分の１の量を空間部Ａに吹き込みと、最上方の第４吹き込み穴２２ｄから全体の約４分の１の量を空間部Ａに吹き込みとの４段階に分けて行うようにしているので、壁１０の空間部Ａの全体に吹き込み材料２３を均一な密度で吹き込むことができる。
【００４２】
壁１０の空間部Ａ内に吹き込み充填された水の浸透性に優れる天然木質繊維のセルローズファイバと水溶性の天然接着剤、及び貝殻カルシウムが混在することから、噴霧した水が迅速かつ均一にセルローズファイバに浸透しかつ天然接着剤が溶解して、貝殻カルシウムを含むセルローズファイバ同士及びセルローズファイバと土台１１、梁１２、柱１３、間柱１４、外壁仕上げ材１５、施工用シート２１等の壁構造体と結合すると共に乾燥固化して有機繊維系断熱材２０となる。この吹き込み材料２３は、空間部Ａ内に吹き込む際、噴霧する水が毛細管現象等によりセルローズファイバに迅速に浸水し、かつ水溶性の天然接着剤が容易に溶解することから比較的少ない水で均一に接着でき、従来の湿式吹き込み施工方法に比べ短時間で乾燥して有機繊維系断熱材２０が形成できる。
【００４３】
しかる後、柱１３、間柱１４等に有機系断熱材２０を覆う内装材１６が張設されて壁１０が形成される。なお、この内装材１６の張設は、空間部Ａ内に充填された吹き込み材料２３に含まれる水分が比較的少なく、吹き込み材料２３が十分に乾燥しない未乾燥の状態で内装材１６を張設することもできる。
【００４４】
以上のように本実施の形態によると、貝殻カルシウムを含む天然木質繊維のセルローズファイバ及び天然接着剤からなる吹き込み材料２３を、水を噴霧しつつ外壁仕上げ材１５と施工用シート２１と各柱１３、間柱１４とで仕切られた各空間部Ａに吹き込み堆積させて有機繊維系断熱材２０を形成することから、少量の水を噴霧することにより効率よく貝殻カルシウムを含むセルローズファイバ同士が均等に結合でき、かつセルローズファイバと柱１３、間柱１４、外壁仕上げ材１５、施工用シート２１等の壁構造体と結合する。また、水の噴霧が少量であることから吹き込まれた吹き込み材料２３の自重による施工中の沈下が抑制されて均一に堆積させることができる。更に、水を噴霧しつつ吹き込み材料２３を吹き込むことから、吹き込み材料２３を空間部Ａ内に吹き込みに伴う粉塵の飛散が抑制され良好な作業環境が確保できる。
【００４５】
また、この有機繊維系断熱材２０は、天然接着剤によって貝殻カルシウムを含むセルローズファイバ同士が互いに接着結合され、かつ柱１３、間柱１４、外壁仕上げ材１５等の壁構造体と結合して空間部Ａ内に充填され、有機繊維系断熱材２０は解織されたセルローズファイバ自体に無数の気泡を有すると共に絡み合ったセルローズファイバ間に空気を抱えることから優れた断熱、吸音及び結露防止機能が得られると共に、経時的に壁１０に作用する振動によって有機繊維系断熱材２０が沈み込む経時的沈下現象が発生することがなく安定した断熱及び防音機能が維持される。また、有効的に経時的沈下現象が回避できることから、吹き込み材料２３の吹き込み密度を抑制することができ、吹き込み材料２３の使用量、即ちセルローズファイバ等の原材料の使用量の軽減が得られる。
【００４６】
更に、有機繊維系断熱材２０は通気性を有し有機繊維系断熱材２０に混在する貝殻カルシウムは、空気中の有害物質及び汚染物質を吸着分解機能、消臭機能、有害物質及び汚染物質の除去または低減機能を備え、居住者の健康に悪影響を与えるシックハウス症候群の発生が有効的に抑制できる。
【００４７】
更に、有機繊維系断熱材２０が天然木質繊維であるセルローズファイバを水溶性のデンプン系増粘材或いはセルローズ系高分子増粘材等の天然接着剤によって結合して形成されることから、少量の接着剤が満遍なくセルローズファイバに接合されているためセルローズファイバ同士の個々の部分での接着強度は弱く安易に解織可能であり、リサイクルが容易になる。また、加水により有機繊維系断熱材２０のセルローズファイバが容易に水解できてリサイクルが容易になり、原材料の使用量の低減と相俟って森林保護等自然環境への負担が軽減できる。
【００４８】
一方、天然木質繊維であるセルローズファイバ及び天然接着剤で形成される有機繊維系断熱材２０は、木の状態に近い組織で構成され、火災時や消却処分にあたっても有機繊維系断熱材２０からダイオキシン等の有害物質の発生がなく、環境負担の要因を低減することができる。
【００４９】
更に、施工に際して残存した余剰の吹き込み材料２３、いわゆる残渣には有害物質となる化学物質が混在することなく、焼却処理等によってもダイオキシン等の有害物質が発生せず、安全性に優れ人体や自然汚染の要因となることはない。
【００５０】
また、有機繊維系断熱材２０や残渣は、天然木質繊維であるセルローズファイバ、水溶性のデンプン系増粘材或いはセルローズ系高分子増粘材等の天然接着剤、及び貝殻カルシウムによって構成され、木の状態に近い組織で構成されることから、例えば土壌に埋設する等により生分解性を受け形状が破壊して土壌化し、環境への負荷を伴うことなく処理することができる。
【００５１】
なお、本発明は上記実施の形態に限定されることなく、発明の趣旨を逸脱しない範囲で種々変更可能である。例えば上記実施の形態では各空間部Ａに対し、施工用ネット２１に第１〜第４吹き込み穴２２ａ〜２２ｄの全ての吹き込み穴を切り欠き形成した後に、順に第１吹き込み穴２２ａ、第２吹き込み穴２２ｂ、第３吹き込み穴２２ｃ、第４吹き込み穴２２ｄから吹き込み材料２３を吹き込み充填したが、第１吹き込み穴２２ａを切り欠き、かつ第１吹き込み穴２２ａから吹き込み材料２３を吹き込み充填した後、第２吹き込み穴２２ｂを切り欠き、第２吹き込み穴２２ｂから吹き込み材料２３を吹き込み充填する等吹き込む穴の切り欠き形成と吹き込み材料２３の吹き込みを交互に繰り返して吹き込み材料２３を壁１０の空間部Ａに充填することもできる。なお、この吹き込み穴の数は空間部Ａの大きさ等によって適宜変更できる。
【００５２】
上記実施の形態では、貝殻カルシウムとしてホタテ貝の貝殻を焼成して生成したが、ホタテ貝に限らず他の貝殻、例えば牡蠣等他の貝殻を焼成して生成することもできる。また、上記実施の形態では住宅等の建物の壁に有機繊維系断熱材を吹き込む形成する場合を例に説明したが、天井、床等の他の建築構成部材等の有機繊維系断熱材を吹き込み形成する場合に適用することができる。
【図面の簡単な説明】
【００５３】
【図１】本実施の形態により断熱施工され壁の概要を示す要部断面斜視図である。
【図２】図１のＩ−Ｉ線断面図である。
【図３】本実施の形態における吹き込み施工方法の作業手順を示すフローチャートである。
【図４】吹き込み施工方法を説明する図であり、（ａ）は正面図、（ｂ）は（ａ）のＩＩ−ＩＩ線断面図である。
【図５】同じく、吹き込み施工方法を説明する図であり、（ａ）は正面図、（ｂ）は（ａ）のＩＩＩ−ＩＩＩ線断面図である。
【図６】同じく、吹き込み施工方法を説明する図である。
【符号の説明】
【００５４】
１０      壁（建築構成部材）
１１      土台
１２      梁
１３      柱
１４      間柱
１５      外壁仕上げ材または合板や透湿シートからなる外壁下地材
２１      施工用シート
２２ａ    第１吹き込み穴
２２ｂ    第２吹き込み穴
２２ｃ    第３吹き込み穴
２２ｄ    第４吹き込み穴
２３      吹き込み材料
２５      有機繊維系断熱材
３１      ブローイング装置の吹き込みノズル
Ａ        空間部
【要約】
【課題】安定した断熱、防音機能が得られ、人体への安全性が高く環境負荷が軽減される有機繊維系断熱材の湿式吹き込み施工方法を提供する。
【解決手段】壁１０内の空間部Ａに吹き込み材料２３を吹き込み充填して有機繊維系断熱材２０を形成する湿式吹き込み施工方法であって、吹き込み材料２３が、セルローズファイバ、天然接着剤、及び貝殻カルシウムからなり、空間部Ａ内に水を噴霧しつつ吹き込み材料２３を吹き込み充填する。有機繊維系断熱材２０の経時的沈下が防止されて安定した断熱、防音機能が得られ、かつ有害物質の発生がなく人体への安全性が高く、更に環境汚染を招くことなくリサイクル性にすぐれ環境負荷が軽減される。
【選択図】図１【図１】
0004308877.tif 000002
【図２】
0004308877.tif 000003
【図３】
0004308877.tif 000004
【図４】
0004308877.tif 000005
【図５】
0004308877.tif 000006
【図６】
0004308877.tif 000007